(57)【特許請求の範囲】
【請求項１】
箱体の複数の面を構成し該箱体の一部を開放可能な複数の画像表示用のディスプレイパネルからなる構造体と、
前記箱体の内部にあるものを撮影可能なカメラと、
前記複数のディスプレイパネルと、前記カメラと、テレビのチャンネルの放送を受信するチューナと、画像が記憶されたメモリと、が接続されたメインバスに接続され、前記カメラが撮影した内部に置かれたものの画像を表示する状態と、前記チューナで受信されたチャンネルの画像を表示する状態と、前記メモリに記憶された画像を表示する状態と、を切り換えて前記複数のディスプレイパネルの各々に表示させる切換手段と、
を有することを特徴とするコレクションケース。
【請求項２】
前記複数のディスプレイパネルを透過状態と画像表示状態とに切換させる指令を前記切換手段に入力する制御手段を有することを特徴とする請求項１に記載のコレクションケース。
【請求項３】
前記複数のディスプレイパネルに、前記カメラが撮影した内部に置かれたものの画像を表示する状態と、その他の画像を表示する状態とに切り換えさせる指令を、前記制御手段に入力するための操作手段を設けたことを特徴とする請求項１又は請求項２に記載のコレクションケース。
【発明の詳細な説明】
【０００１】
【発明の属する技術分野】
この発明は、ケース、ハウジング又は箱等の外表面に、画像を表示するためのディスプレイパネルを有する、コレクションケースに関する。
【０００２】
【従来の技術】
従来の冷蔵庫には、冷蔵庫本体の扉に設けた凹部に液晶ディスプレイを嵌め込んだものが提案されている。このように冷蔵庫本体の扉に設けられた液晶ディスプレイには、カレンダ情報、レシピ情報、伝言情報、庫内在庫情報、鑑賞用画像情報等を表示するようにしている（例えば、特許文献１参照。）。
【０００３】
また、従来のショーケースには、ショーケース本体の上部に液晶ディスプレイを置いて、ショーケースに展示される商品に関する情報を液晶ディスプレイに表示させるものが提案されている（例えば、特許文献２参照。）。
【０００４】
さらに、従来のカメラには、その外装部材の所定箇所に液晶素子を配置し、例えば電源のオン／オフ状態、カメラ周辺の明るさ等に基づいて、中央制御装置（ＣＰＵ）がドライバ回路を介して、この液晶素子の表示態様を制御し、カメラ自体の外観態様を所望通りに変更可能とするものが提案されている（例えば、特許文献３参照。）。
【０００５】
【特許文献１】
特開２０００−２７４９２３号公報
【特許文献２】
特開２０００−３００３９８号公報
【特許文献３】
特開平１１−３２７０１３号公報
【０００６】
【発明が解決しようとする課題】
前述のような特許文献１に提案されている冷蔵庫では、冷蔵庫本体の扉に設けられた液晶ディスプレイに、カレンダ情報、レシピ情報、伝言情報、庫内在庫情報、鑑賞用画像情報等が表示されるが、冷蔵庫内に存在するものの画像を表示するものではない。
【０００７】
また、特許文献２に提案されているショーケースでは、ショーケース本体の上部に配置した液晶ディスプレイに、ショーケースに展示される商品に関する情報を表示させるものである。また、ショーケースは、展示している商品を隠すものではなく、かつ液晶ディスプレイもショーケース内に存在するものの画像を表示するものでもない。
【０００８】
さらに、特許文献３に提案されているカメラは、その外装部材に配置した液晶素子の状態を制御してカメラ自体の外観態様を所望通りに変更するものであり、液晶ディスプレイでカメラ内部の画像を表示するものではない。
【０００９】
すなわち、冷蔵庫等に備えられたディスプレイパネルにその内部に実際にある物の画像を表示する態様と、ディスプレイパネルに色彩を表示する態様、模様を表示する態様又は画像を表示する態様とに、切り換えて表示させるものは存在しなかった。
【００１０】
本発明は上記事実に鑑み、ディスプレイパネルに、その内部に実際にある物の画像を表示する態様と、ディスプレイパネルに色彩を表示する態様、模様を表示する態様又は画像を表示する態様とに、切り換えて、種々の表現形態を作り出せるコレクションケースを新たに提供することを目的とする。
【００１１】
【課題を解決するための手段】
本発明の請求項１に記載のコレクションケースは、箱体の複数の面を構成し該箱体の一部を開放可能な複数の画像表示用のディスプレイパネルからなる構造体と、前記箱体の内部にあるものを撮影可能なカメラと、前記複数のディスプレイパネルと、前記カメラと、テレビのチャンネルの放送を受信するチューナと、画像が記憶されたメモリと、が接続されたメインバスに接続され、前記カメラが撮影した内部に置かれたものの画像を表示する状態と、前記チューナで受信されたチャンネルの画像を表示する状態と、前記メモリに記憶された画像を表示する状態と、を切り換えて前記複数のディスプレイパネルの各々に表示させる切換手段と、を有することを特徴とする。
【００１２】
上述のように構成することにより、複数のディスプレイパネルに、箱体の内部にあるものの画像を表示させる態様と、ディスプレイパネルに画像を表示する態様とに切り換えて、種々の表現形態を作り出せる。
【００１３】
請求項２記載の発明は、請求項１に記載のコレクションケースにおいて、前記複数のディスプレイパネルを透過状態と画像表示状態とに切換させる指令を前記切換手段に入力する制御手段を有することを特徴とする。
【００１４】
上述のように構成することにより、ディスプレイパネルを透過状態として箱体の内部にあるものを見えるようにする態様と、ディスプレイパネルに画像を表示する態様とに切り換えて、種々の表現形態を作り出せる。
【００１５】
請求項３記載の発明は、請求項１又は請求項２に記載のコレクションケースにおいて、前記複数のディスプレイパネルに、前記カメラが撮影した内部に置かれたものの画像を表示する状態と、その他の画像を表示する状態とに切り換えさせる指令を、前記制御手段に入力するための操作手段を設けたことを特徴とする。
【００１６】
上述のように構成することにより、使用者が操作手段を操作してディスプレイパネルに、箱体表示装置に設置されたカメラで撮影された箱体内部の画像を表示する態様と、その他の所望の画像を表示する態様とに切り換えさせる指令を制御手段に入力することにより、ディスプレイパネルに使用者が所望する画像を表示させた状態にして利用することができる。
【００１９】
【発明の実施の形態】
本発明のコレクションケースに関する第１実施の形態について、以下に図面を参照しながら説明する。本第１実施の形態に係わる箱体表示装置では、図１及び図２に示すように、多面構造の表示装置である箱体表示装置本体１０が立方体の箱状に形成されている。なお、多面構造表示装置としての箱体表示装置本体１０は、直方体等の矩形箱状に形成しても良いし、ピラミッド型の５面体や、その他の多面体に形成しても良い。なお、箱体表示装置本体１０の各面は、平面又は曲面であっても良い。
【００２０】
この箱体表示装置本体１０は、これを使用するときに外部から見える面部にディスプレイパネルを配置して構成する。例えば、立方体に形成した箱体表示装置本体１０を台上に据え付けて使用する場合には、その底面を除く、四方の側面と上面（天井面）とにディスプレイパネル１２（１２Ａ、１２Ｂ、１２Ｃ、１２Ｄ、１２Ｅ）を配置して構成する。
【００２１】
なお、箱体表示装置本体１０は、その少なくとも一つの面部にディスプレイパネル１２を配置して構成することができる。また、箱体表示装置本体１０は、その外面を構成する全ての面部にディスプレイパネル１２を配置して構成しても良いし、箱体表示装置本体１０の外面を構成する全ての面部における所要複数の面部にだけディスプレイパネル１２を配置して構成しても良い。
【００２２】
この箱体表示装置本体１０は、中空構造に形成し、その内部に物体を入れるための出入口を設ける。この出入口は、箱体表示装置本体１０の少なくとも一つ以上の面部における全面又は一部の面部分を開閉可能にして構成する。
【００２３】
例えば、多面構造である箱体におけるディスプレイパネル１２（１２Ａ、１２Ｂ、１２Ｃ、１２Ｄ、１２Ｅ）が設けられていない面を開放可能な出入口に構成し、又はディスプレイパネル１２（１２Ａ、１２Ｂ、１２Ｃ、１２Ｄ、１２Ｅ）が設けられている面を開放可能な出入口に構成しても良い。
【００２４】
このディスプレイパネル１２（１２Ａ、１２Ｂ、１２Ｃ、１２Ｄ、１２Ｅ）は、不透明な状態（光を透過させない状態、若しくはディスプレイパネルの裏側に置いたものを表側からディスプレイパネルを通して見ることができない状態）、光を透過させる状態（透明又は半透明の状態）、色彩を表示する状態（無模様かつ一色の状態）、模様を表示する状態又は動画像又は静止画像を表示する状態とに、表示態様を切り換え可能な機能を有するもので構成する。
【００２５】
このディスプレイパネル１２（１２Ａ、１２Ｂ、１２Ｃ、１２Ｄ、１２Ｅ）は、例えば一般に用いられている種々の液晶ディスプレイ（ＬＣＤ）、有機ＥＬ表示パネルで構成することができる。
【００２６】
図２に示すように、箱体表示装置本体１０の底面部１４の内部には、ディスプレイパネルの表示装置を構成するための電気回路１６を設置する。さらに、箱体表示装置本体１０の底面部１４における各所定部所には、メモリ・カード２８用のスロット部１８、パーソナル・コンピュータ３０等の外部機器と接続するための接続端子部２０及びリモートコントローラ３２用の赤外線受光部２２を設ける。
【００２７】
この箱体表示装置本体１０には、その内部の様子や内部に置かれた物体を撮影するためのカメラ２３を、例えば上面（天井面）の中央等の所定位置（カメラ２３を配置する位置は、箱体表示装置本体１０の内部の様子や内部に置いたものが何であるかを見易くするアングルで撮影できる位置であれば、何処でも良い）に配置する。
【００２８】
この箱体表示装置本体１０には、その内部に置かれた物体を照らし出し、又は内部の様子を照らし出す照明ランプ２４を、例えば上面（天井面）の四隅にそれぞれ配置する。この照明ランプ２４は、ディスプレイパネル１２（１２Ａ、１２Ｂ、１２Ｃ、１２Ｄ、１２Ｅ）が光を透過させる状態とされたときに点灯され、箱体表示装置本体１０の内部の様子や内部に置かれた物体を照らし出してディスプレイパネル１２の外から見易くするためのものである。
【００２９】
この箱体表示装置本体１０には、その内部の様子や内部に置かれた物体を照らし出す照明ランプ２４を、例えば上面（天井面）の四隅にそれぞれ配置する。この照明ランプ２４は、カメラ２３で箱体表示装置本体１０の内部の様子や内部に在るものを撮影するときに点灯され、箱体表示装置本体１０の内部の様子や内部に置かれた物体を照らし出して適切な露光条件で撮影可能とするためのものである。
【００３０】
なお、この照明ランプ２４は、ディスプレイパネル１２（１２Ａ、１２Ｂ、１２Ｃ、１２Ｄ、１２Ｅ）が光を透過させる状態とされたときに点灯し、箱体表示装置本体１０の内部の様子や内部に置かれた物体を照らし出してディスプレイパネル１２の外から見易くするようにしても良い。
【００３１】
また、箱体表示装置本体１０には、各ディスプレイパネル１２（１２Ａ、１２Ｂ、１２Ｃ、１２Ｄ、１２Ｅ）の表示を切り換える操作を行うための表示切換ボタン２６を、各ディスプレイパネル１２（１２Ａ、１２Ｂ、１２Ｃ、１２Ｄ、１２Ｅ）の所定隅位置に、それぞれ配置する。
【００３２】
この箱体表示装置本体１０に設置するディスプレイパネルの表示装置を構成するための電気回路１６は、図４に例示するように構成する。
【００３３】
この電気回路１６は、箱体表示装置本体１０全体の動作を司る制御手段３４を備えている。
【００３４】
この制御手段３４は、図示しないが、ＣＰＵ（中央演算処理装置）にバスを介して、ＳＤＲＡＭ及びフラッシュＲＯＭ等を接続して構成されている。
【００３５】
この制御手段３４は、メインバス３８に接続されている。さらに、制御手段３４は、メインバス３８を介して、箱体表示装置本体１０に設けられている表示切換ボタン２６や図示しない電源スイッチ及び必要に応じて設けられる指示入力ボタン等である操作手段３６と接続されており、これら各操作手段３６の使用者による操作状態を常時把握できる。
【００３６】
制御手段３４は、メインバス３８を介して、赤外線受光部２２と接続されており、リモートコントローラ３２から送信されて来る指令信号を受信可能にされている。
【００３７】
このメインバス３８には、信号処理回路４０が接続されている。この信号処理回路４０には、パーソナル・コンピュータ３０等の外部機器と接続するための接続端子部２０が接続されている。
【００３８】
また、個々のディスプレイパネル１２（１２Ａ、１２Ｂ、１２Ｃ、１２Ｄ、１２Ｅ）にパーソナル・コンピュータ３０等の外部機器から送信されてきたそれぞれ対応する画像を個別に表示可能とするために、信号処理回路４０は、パーソナル・コンピュータ３０等の外部機器から送信されてきた単数又は複数系統（本第１実施の形態では最大５系統）の画像データを処理して、単数又は複数系統の画像データを信号切換手段５２へ配信可能に構成されている。
【００３９】
また、ディスプレイパネル１２（１２Ａ、１２Ｂ、１２Ｃ、１２Ｄ、１２Ｅ）にパーソナル・コンピュータ３０から入力された画像データを表示させる場合には、ディスプレイパネル１２（１２Ａ、１２Ｂ、１２Ｃ、１２Ｄ、１２Ｅ）をパーソナル・コンピュータ３０のモニタとして利用できる。
【００４０】
さらに、制御手段３４には、パーソナル・コンピュータ３０等の外部機器に対して、使用者が指定した特定のディスプレイパネル（１２Ａ、１２Ｂ、１２Ｃ、１２Ｄ、又は１２Ｅ）に表示させるよう対応させて使用者が指定した画像データを送信させるようにする制御機能を持たせる。
【００４１】
このメインバス３８には、読み出し手段４２を介して内部メモリ４４が接続され、読み出し手段４６を介してメモリ・カード２８用のスロット部１８が接続され、さらにＴＶチューナ４８が接続されている。
【００４２】
さらにメインバス３８には、映像信号処理回路５１を介してカメラ２３が接続されている。これと共に、制御手段３４には、映像信号処理回路５１及びカメラ２３に対して撮影を実行させ、カメラ２３で撮影された画像データを映像信号処理回路５１で処理して信号切換手段５２へ送信させ、この信号切換手段５２で画像データの送信先を切り換えることにより、使用者が指定した特定のディスプレイパネル（１２Ａ、１２Ｂ、１２Ｃ、１２Ｄ、又は１２Ｅ）にカメラ２３で撮影した同一の画像を表示させるための制御機能を持たせる。
【００４３】
また、全ディスプレイパネル１２（１２Ａ、１２Ｂ、１２Ｃ、１２Ｄ、１２Ｅ）に内部メモリ４４から読み出した画像を表示可能とするために、読み出し手段４２は、内部メモリ４４から読み出した単数又は複数系統（本第１実施の形態では最大５系統）の画像データを処理して、単数又は複数系統の画像データを信号切換手段５２へ配信可能に構成されている。
【００４４】
さらに、制御手段３４には、読み出し手段４２及び内部メモリ４４に対して、使用者が指定した特定のディスプレイパネル（１２Ａ、１２Ｂ、１２Ｃ、１２Ｄ、又は１２Ｅ）に表示させるよう対応させて使用者が指定した画像データを送信させるようにする制御機能を持たせる。
【００４５】
これと同様に、読み出し手段４６は、スロット部１８に装着されたメモリ・カード２８から読み出した単数又は複数系統（本第１実施の形態では最大５系統）の画像データを処理して、単数又は複数系統の画像データを信号切換手段５２へ配信可能に構成されている。
【００４６】
さらに、制御手段３４には、読み出し手段４６及びスロット部１８に装着されたメモリ・カード２８に対して、使用者が指定した特定のディスプレイパネル（１２Ａ、１２Ｂ、１２Ｃ、１２Ｄ、又は１２Ｅ）に表示させるよう対応させて使用者が指定した画像データを送信させるようにする制御機能を持たせる。
【００４７】
この箱体表示装置本体１０では、メモリ・カードのスロット部１８にメモリ・カード２８が装着されていないときは、制御手段３４が自動的にカメラ２３及び映像信号処理回路５１を撮影状態に切り換えて、ディスプレイパネル１２（１２Ａ、１２Ｂ、１２Ｃ、１２Ｄ、１２Ｅ）に箱体表示装置本体１０内部の様子や内部に置いたものを見せる状態に切り換える制御を行うようにしても良い。
【００４８】
なお、箱体表示装置本体１０では、メモリ・カードのスロット部１８にメモリ・カード２８が装着されていないときに、制御手段３４が自動的にディスプレイパネル１２（１２Ａ、１２Ｂ、１２Ｃ、１２Ｄ、１２Ｅ）を透過状態に切り換える制御を行うようにしても良い。
【００４９】
これと共に、ＴＶチューナ４８は、選択された単数又は複数のチャンネル（本第１実施の形態では最大５チャンネル）の放送を受信して、単数又は複数のチャンネルの画像データを信号切換手段５２へ配信可能に構成されている。
【００５０】
さらに、制御手段３４には、ＴＶチューナ４８に対して、使用者が指定した特定のディスプレイパネル（１２Ａ、１２Ｂ、１２Ｃ、１２Ｄ、又は１２Ｅ）に表示させるよう対応させて使用者が指定したチャンネルの画像データを送信させるようにする制御機能を持たせる。
【００５１】
また、信号切換手段５２と、画像の源（ソース）となる対象（接続端子部２０に接続された外部機器及び信号処理回路４０、若しくは内部メモリ４４及び読み出し手段４２、若しくはメモリ・カードのスロット部１８に装着されたメモリ・カード２８及び読み出し手段４６、又はＴＶチューナ４８）との間を、５系統の信号線で接続し、各系統で独立して画像データを送信する構成を採っても良い。
【００５２】
または、画像の源（ソース）となる対象側の、信号処理回路４０と、内部メモリ４４と、読み出し手段４６と、ＴＶチューナ４８とに、それぞれ複数系統（本第１実施の形態では最大５系統）に対応する一時記憶手段としてのフレームメモリを設ける。そして、このフレームメモリ上の複数系統（本第１実施の形態では最大５系統）に対応する各記憶エリアに、各系統に対応して出力されたフレーム画像データを蓄積し、各系統に対応したフレーム画像データを順次信号切換手段５２へ出力し、信号切換手段５２で各系統に対応したフレーム画像データを、それぞれ表示させるべきディスプレイパネル１２（１２Ａ、１２Ｂ、１２Ｃ、１２Ｄ、１２Ｅ）へ切り換えて送信するよう構成しても良い。なお、一時記憶手段としてのフレームメモリを信号切換手段５２側に設けて構成しても良い。
【００５３】
また、前述した信号切換手段５２へ送信される各画像データは、文字情報（文字放送や文字による情報の伝達等）又は音声データを伴なうものであっても良い。ここで音声データを伴なう場合には、各ディスプレイパネル１２（１２Ａ、１２Ｂ、１２Ｃ、１２Ｄ、１２Ｅ）側に設置したスピーカから音声を出力させるように構成する。
【００５４】
さらに、メインバス３８には、各々対応する表示駆動手段５０を介して接続されるディスプレイパネル１２（１２Ａ、１２Ｂ、１２Ｃ、１２Ｄ、１２Ｅ）が、５組それぞれ接続されている。
【００５５】
各表示駆動手段５０は、入力された種々の方式の画像データに基づいてディスプレイパネル１２用のドライバに対応した所定方式の画像データに変換（例えばＮＴＳＣへの変換、又はデジタル画像データへの変換等）してディスプレイパネル１２に画像を表示させるように構成されている。このため、表示駆動手段５０には、例えば、ＶＲＡＭを有するビデオ・カード等が内蔵されている。
【００５６】
制御手段３４には、メインバス３８を介して信号切換手段５２が接続されている。制御手段３４は、信号切換手段５２を制御することにより、使用者に指定された所要の画像データ（パーソナル・コンピュータ３０等の外部機器から送信されてくる所定の画像データ、若しくは読み出し手段４２により内部メモリ４４から読み出された所定の画像データ、若しくは読み出し手段４６によってスロット部１８に装着されたメモリ・カード２８から読み出された所定の画像データ、若しくはＴＶチューナ４８から送信されてくる所定の画像データ、又はカメラ２３で撮影され映像信号処理回路５１で処理された画像データ）を、５組のディスプレイパネル１２の内から使用者に指定された特定のディスプレイパネル（１２Ａ、１２Ｂ、１２Ｃ、１２Ｄ、又は１２Ｅ）に選択的に切り換えて送信させる制御機能を有する。
【００５７】
図４に示すように、メインバス３８には、ライトコントロール手段５４が接続されている。このライトコントロール手段５４には、照明ランプ２４が接続されていて、制御手段３４でライトコントロール手段５４を制御することにより、照明ランプ２４の点灯又は消燈の操作を行えるように構成されている。
【００５８】
なお、制御手段３４は、カメラ２３及び映像信号処理回路５１が箱体表示装置本体１０の内部の様子や内部にあるものを撮影する状態に切り換えられる制御をされた際に、ライトコントロール手段５４を制御して自動的に照明ランプ２４を点灯させるように制御しても良い。
【００５９】
なお、制御手段３４は、ディスプレイパネル１２（１２Ａ、１２Ｂ、１２Ｃ、１２Ｄ、１２Ｅ）が光を透過させる状態に切り換えられる制御をされた際に、ライトコントロール手段５４を制御して自動的に照明ランプ２４を点灯させるように制御しても良い。
【００６０】
この箱体表示装置本体１０では、５個のディスプレイパネル１２（１２Ａ、１２Ｂ、１２Ｃ、１２Ｄ、１２Ｅ）のそれぞれに対する表示状態を設定するときに、リモートコントローラ３２を利用できる。なお、表示切換ボタン２６を利用して表示状態の設定を切り換えるようにしても良い。
【００６１】
図３に示すように、リモートコントローラ３２は、表示部５６、テンキー、選択キー、及び赤外線信号出力部５８を有する。
【００６２】
このリモートコントローラ３２では、箱体表示装置本体１０における５個のディスプレイパネル１２（１２Ａ、１２Ｂ、１２Ｃ、１２Ｄ、１２Ｅ）の各々に表示させる内容を、それぞれ接続端子部２０に接続されたパーソナル・コンピュータ３０等の外部機器から取り込む画像、内部メモリ４４側から取り込む画像、メモリ・カード２８側から取り込む画像、又はＴＶチューナ４８側から取り込む画像、又はカメラ２３側から取り込む画像の何れかとするように選択する。
【００６３】
例えば、図３のリモートコントローラ３２の表示部５６に示すように、第１番目のディスプレイパネル１２ＡにＴＶを表示することとした場合には、ＴＶのチャンネルを指定（ここでは１チャンネルを指定）する。
【００６４】
次に、第２番目のディスプレイパネル１２Ｂ、第３番目のディスプレイパネル１２Ｃ、及び第４番目のディスプレイパネル１２Ｄのそれぞれに内部メモリ４４側から取り込む画像を表示することとした場合には、第２番目のディスプレイパネル１２Ｂを指定して、これに表示させる内部メモリ４４に記憶されている画像フレームの番号を指定し、次に第３番目のディスプレイパネル１２Ｃ指定して、これに表示させる内部メモリ４４に記憶されている画像フレームの番号を指定し、第４番目のディスプレイパネル１２Ｄを指定して、これに表示させる内部メモリ４４に記憶されている画像フレームの番号を指定する。
【００６５】
ここでは、第２番目のディスプレイパネル１２Ｂに画像フレーム番号第５番の画像を表示させ、第３番目のディスプレイパネル１２Ｃに画像フレーム番号第８番の画像を表示させ、第４番目のディスプレイパネル１２Ｄに画像フレーム番号第１１番の画像を表示させるよう指定している。
【００６６】
次に、第５番目のディスプレイパネル１２Ａには、箱体表示装置本体１０の内部の様子や内部に置いた物体をカメラ２３で撮影した画像を表示させるよう指定している。
【００６７】
なお、各ディスプレイパネル１２（１２Ａ、１２Ｂ、１２Ｃ、１２Ｄ、１２Ｅ）に対する表示に関する指示操作を、各対応する表示切換ボタン２６で行うように構成しても良い。
【００６８】
使用者が上述のようにしてリモートコントローラ３２で指定した表示指令をリモートコントローラ３２の赤外線信号出力部５８から、箱体表示装置本体１０の赤外線受光部２２へ向けて送信すると、制御手段３４は、受信した表示指令に基づいて各ディスプレイパネル１２（１２Ａ、１２Ｂ、１２Ｃ、１２Ｄ、１２Ｅ）に対する表示の制御を実行する。
【００６９】
例えば、この制御手段３４は、リモートコントローラ３２から表示指令を受けると、第１番目のディスプレイパネル１２Ａに表示する制御として、次のような制御を実行する。
【００７０】
すなわち、制御手段３４は、ＴＶチューナ４８に制御信号を送信して、ここでは１チャンネルの放送を受信し、この１チャンネルの放送の画像データ等（音声データ付きでも良い）を信号切換手段５２に送信するように制御する。
【００７１】
さらに、制御手段３４は、信号切換手段５２に制御信号を送信して、信号切換手段５２がＴＶチューナ４８から受信した画像データ等を第１番目のディスプレイパネル１２Ａの表示駆動手段５０に配信するように制御をする。
【００７２】
これにより、箱体表示装置本体１０では、ＴＶチューナ４８で受信した１チャンネルの放送の画像データが信号切換手段５２を介して所定の表示駆動手段５０へ送信され、表示駆動手段５０で必要に応じて所定の画像信号に変換され、そのドライバによって駆動される第１番目のディスプレイパネル１２Ａに１チャンネルの放送の画像が表示される。
【００７３】
次に、この制御手段３４は、リモートコントローラ３２受けた表示指令に基づいて、第２番目のディスプレイパネル１２Ｂに内部メモリ４４に記憶されている画像フレーム番号第５番の画像を表示させ、第３番目のディスプレイパネル１２Ｃに画像フレーム番号第８番の画像を表示させ、第４番目のディスプレイパネル１２Ｄに画像フレーム番号第１１番の画像を表示させる制御として、次のような制御を実行する。
【００７４】
この場合には、まず第２番目のディスプレイパネル１２Ｂに表示させる制御として、制御手段３４は、読み出し手段４２及び内部メモリ４４に制御信号を送信し、第１系統として処理された画像フレーム番号第５番の画像データを信号切換手段５２に送信するように制御する。
【００７５】
さらに、制御手段３４は、信号切換手段５２に制御信号を送信して、信号切換手段５２が読み出し手段４２で第１系統として処理された画像フレーム番号第５番の画像データを第２番目のディスプレイパネル１２Ｂの表示駆動手段５０に配信するように制御する。
【００７６】
これにより、箱体表示装置本体１０では、内部メモリ４４に記憶されていた画像フレーム番号第５番の画像データが信号切換手段５２を介して所定の表示駆動手段５０へ送信され、表示駆動手段５０で必要に応じて所定の画像信号に変換され、そのドライバによって駆動される第２番目のディスプレイパネル１２Ｂに画像フレーム番号第５番の画像が表示される。
【００７７】
次に、第３番目のディスプレイパネル１２Ｃに表示させる制御として、制御手段３４は、読み出し手段４２及び内部メモリ４４に制御信号を送信し、第２系統として処理された画像フレーム番号第８番の画像データを信号切換手段５２に送信するように制御する。
【００７８】
さらに、制御手段３４は、信号切換手段５２に制御信号を送信して、信号切換手段５２が読み出し手段４２で第２系統として処理された画像フレーム番号第８番の画像データを第３番目のディスプレイパネル１２Ｃの表示駆動手段５０に配信するように制御する。
【００７９】
これにより、箱体表示装置本体１０では、内部メモリ４４に記憶されていた画像フレーム番号第８番の画像データが信号切換手段５２を介して所定の表示駆動手段５０へ送信され、表示駆動手段５０で必要に応じて所定の画像信号に変換され、そのドライバによって駆動される第３番目のディスプレイパネル１２Ｃに画像フレーム番号第８番の画像が表示される。
【００８０】
次に、第４番目のディスプレイパネル１２Ｄに表示させる制御として、制御手段３４は、読み出し手段４２及び内部メモリ４４に制御信号を送信し、第３系統として処理された画像フレーム番号第１１番の画像データを信号切換手段５２に送信するように制御する。
【００８１】
さらに、制御手段３４は、信号切換手段５２に制御信号を送信して、信号切換手段５２が読み出し手段４２で第３系統として処理された画像フレーム番号第１１番の画像データを第４番目のディスプレイパネル１２Ｄの表示駆動手段５０に配信するように制御する。
【００８２】
これにより、箱体表示装置本体１０では、内部メモリ４４に記憶されていた画像フレーム番号第１１番の画像データが信号切換手段５２を介して所定の表示駆動手段５０へ送信され、表示駆動手段５０で必要に応じて所定の画像信号に変換され、そのドライバによって駆動される第４番目のディスプレイパネル１２Ｄに画像フレーム番号第１１番の画像が表示される。
【００８３】
次に、この制御手段３４は、リモートコントローラ３２から受けた表示指令に基づいて、第５番目のディスプレイパネル１２Ｅにカメラ２３で撮影された箱体表示装置本体１０の内部の様子や内部に置いた物体の画像を表示させる制御として、例えば、次のような制御を実行する。
【００８４】
すなわち、制御手段３４は、カメラ２３に制御信号を送信して、箱体表示装置本体１０の内部の様子や内部に置いた物体の撮影を開始させ、カメラ２３から出力された画像データを映像信号処理回路５１で所定の方式に変換してから信号切換手段５２に送信するように制御する。
【００８５】
さらに、制御手段３４は、信号切換手段５２に制御信号を送信して、信号切換手段５２がカメラ２３及び映像信号処理回路５１から受信した画像データ等を第５番目のディスプレイパネル１２Ｅの表示駆動手段５０に配信するように制御をする。
【００８６】
これにより、箱体表示装置本体１０では、カメラ２３及び映像信号処理回路５１から出力された画像データが信号切換手段５２を介して所定の表示駆動手段５０へ送信され、表示駆動手段５０で必要に応じて所定の画像信号に変換され、そのドライバによって駆動される第５番目のディスプレイパネル１２Ｅに、箱体表示装置本体１０の内部の様子や内部に置いた物体を撮影した画像が表示される。
【００８７】
上述のように、この箱体表示装置本体１０では、制御手段３４が、リモートコントローラ３２等から入力された使用者に指定された表示指令を受信する。
【００８８】
すると、制御手段３４は、この表示指令に基づいて画像を表示させる場合に、第１番目から第５番目までのディスプレイパネル１２（１２Ａ、１２Ｂ、１２Ｃ、１２Ｄ、１２Ｅ）にそれぞれ対応して表示するように指定された画像の源（ソース）となる対象（接続端子部２０に接続された外部機器及び信号処理回路４０、若しくは内部メモリ４４及び読み出し手段４２、若しくはメモリ・カードのスロット部１８に装着されたメモリ・カード２８及び読み出し手段４６、若しくはＴＶチューナ４８、又はカメラ２３及び映像信号処理回路５１）に、必要に応じて画像を指定して、信号切換手段５２へ出力させるように制御する。
【００８９】
次に、制御手段３４は、第１番目のディスプレイパネル１２Ａに表示させるよう指定された画像データが、第１番目のディスプレイパネル１２Ａに付属する表示駆動手段５０へ送信されるように、信号切換手段５２を切り換える制御を実行する。さらに続けて、第２番目、第３番目、第４番目、第５番目のディスプレイパネル１２Ｂ、１２Ｃ、１２Ｄ又は１２Ｅに対応して上述と同様に、信号切換手段５２を切り換える制御を実行する。
【００９０】
また、制御手段３４は、リモートコントローラ３２受けた表示指令に基づいてディスプレイパネル（１２Ａ、１２Ｂ、１２Ｃ、１２Ｄ、又は１２Ｅ）には何も表示させず、透明な状態とさせる場合に、信号切換手段５２が透明な状態とするように指定されたディスプレイパネル（１２Ａ、１２Ｂ、１２Ｃ、１２Ｄ、又は１２Ｅ）の各表示駆動手段５０に画像データを配信しないように制御する。
【００９１】
次に、制御手段３４は、透明な状態とするように指定されたディスプレイパネル（１２Ａ、１２Ｂ、１２Ｃ、１２Ｄ、又は１２Ｅ）用の各表示駆動手段５０へ制御信号を送信して、光を透過する状態にセットするよう制御する。
【００９２】
なお、制御手段３４は、メモリ・カードのスロット部１８にメモリ・カード２８が装着されていないときに、自動的に、所要のディスプレイパネル１２（１２Ａ、１２Ｂ、１２Ｃ、１２Ｄ、１２Ｅ）にカメラ２３が撮影した箱体表示装置本体１０の内部の様子や内部に置かれたものの画像が表示される状態となるように制御しても良い。
【００９３】
また、箱体表示装置本体１０が、その一つの面部にだけ単一のディスプレイパネル１２を配置して構成されている場合には、その電気回路１６における信号切換手段５２を省略して構成し、構成を簡素化する。そしてこの場合には、制御手段３４が、使用者の表示指令に基づいて単一のディスプレイパネル１２に表示するように指定された画像の源（ソース）となる対象（接続端子部２０に接続された外部機器及び信号処理回路４０、若しくは内部メモリ４４及び読み出し手段４２、若しくはメモリ・カードのスロット部１８に装着されたメモリ・カード２８及び読み出し手段４６、若しくはＴＶチューナ４８、又はカメラ２３及び映像信号処理回路５１）に必要に応じて画像を指定して、直接に単一のディスプレイパネル１２へ出力させるように制御する。なお、この場合には、制御手段３４が信号切換手段５２の機能を兼ねる構成となる。また、制御手段３４と信号切換手段５２とは、それらの機能を併せ持つ一体の手段として構成しても良いことは勿論である。
【００９４】
次に、制御手段３４が、使用者の指定に基き信号切換手段５２に表示内容を指令するための制御について、第１番目のディスプレイパネル１２Ａに対する制御を例にとって図６により説明する。
【００９５】
この図６に示すディスプレイパネルに対する表示用の制御では、初めに、ステップ６０で記憶装置に記憶されていた入力モード等の所定事項を初期状態に書き換える初期化処理を実行する。
【００９６】
次に、ステップ６２へ進んで、箱体表示装置本体１０に対して、使用者がリモートコントローラ３２等を利用して指定した表示指令の内容を制御手段３４が読み込むモード読込み処理を実行し、ステップ６４へ進む。
【００９７】
このステップ６４では、ディスプレイパネル１２に対する画像の入力モードＭ０の指定がされているか否かを判断する。ステップ６４で、入力モードＭ０が０ＦＦにされている（Ｍ０＝０と判断されたとき、すなわち、使用者がディスプレイパネル１２に対して表示指令を行っていないと判断された場合には、ステップ６６へ進み、ディスプレイパネル１２に対する画像の表示を停止して、ステップ６２へ戻る。
【００９８】
すなわち、この箱体表示装置本体１０では、ディスプレイパネル１２に対する画像の入力モードが０ＦＦに設定されているときに、ステップ６２、ステップ６４、ステップ６６と続くループを回って、使用者がディスプレイパネル１２に画像を表示させる入力モードを指定するまで待機する。
【００９９】
次に、ステップ６４で、第１番目のディスプレイパネル１２Ａに対する画像を表示させる入力モードが設定されていると判断された場合には、ステップ６８へ進み、第１番目のディスプレイパネル１２Ａに対して指定されている入力モードＭ１が、Ｍ１＝１か否かを判断する。ステップ６８でＭ１＝１と判断された場合には、ステップ７０へ進み、信号切換手段５２に対して、第１番目のディスプレイパネル１２Ａにパーソナル・コンピュータ３０等の外部機器から送信された外部入力画像を表示させるための切り換え指令を行うよう制御する。
【０１００】
また、ステップ６８で、入力モードＭ１＝１でないと判断された場合には、ステップ７２へ進み、入力モードＭ１＝２か否かを判断する。
【０１０１】
ステップ７２でＭ１＝２と判断された場合には、ステップ７４へ進み、信号切換手段５２に対して、第１番目のディスプレイパネル１２Ａに内部メモリ４４側から送信された内部メモリ画像を表示させるための切り換え指令を行うよう制御する。
【０１０２】
また、ステップ７２で、入力モードＭ１＝２でないと判断された場合には、ステップ７６へ進み、入力モードＭ１＝３か否かを判断する。
【０１０３】
ステップ７６でＭ１＝３と判断された場合には、ステップ７８へ進み、信号切換手段５２に対して、第１番目のディスプレイパネル１２Ａにメモリ・カード（脱着メモリ）２８側から送信されたメモリ・カード２８内の画像を表示させるための切り換え指令を行うよう制御する。
【０１０４】
また、ステップ７６で、入力モードＭ１＝３でないと判断された場合には、ステップ８０へ進み、入力モードＭ１＝４か否かを判断する。
【０１０５】
ステップ８０でＭ１＝４と判断された場合には、ステップ８２へ進み、信号切換手段５２に対して、第１番目のディスプレイパネル１２ＡにＴＶチューナ４８から送信された画像を表示させるための切り換え指令を行うよう制御する。
【０１０６】
また、ステップ８０で、入力モードＭ１＝４でないと判断された場合には、ステップ８４へ進み、信号切換手段５２に対して、第１番目のディスプレイパネル１２Ａに映像信号処理回路５１側から送信されたカメラ２３で箱体表示装置本体１０内に置かれたものを撮影した画像を表示させるための切り換え指令を行ってステップ６２へ戻る。
【０１０７】
これにより、制御手段３４は、ステップ６２からステップ８４へ続くループを回って、使用者がディスプレイパネル１２に画像を表示させる入力モードをあらたに指定するまで、この指定された表示状態を維持する。
【０１０８】
また制御手段３４は、例えば、上述した第１番目のディスプレイパネル１２Ａに対し、使用者の指定に基き信号切換手段５２に表示内容の指令をする制御を、それぞれ第２番目乃至第５番目のディスプレイパネル１２（１２Ｂ、１２Ｃ、１２Ｄ、１２Ｅ）に対応して実行することにより、全てのディスプレイパネル１２（１２Ａ、１２Ｂ、１２Ｃ、１２Ｄ、１２Ｅ）に対する使用者の指定に基き信号切換手段５２に表示内容の指令をする制御を実行できる。
【０１０９】
次に、上述のように構成した箱体表示装置本体１０の利用例について説明する。
【０１１０】
この箱体表示装置本体１０は、コレクションケースとして利用できる。この場合には、カメラ２３が撮影した箱体表示装置本体１０の内部に置かれたものの画像がディスプレイパネル１２（１２Ａ、１２Ｂ、１２Ｃ、１２Ｄ、１２Ｅ）に表示される状態となるようにセットし、かつ照明ランプ２４を点灯することにより、貴重なコレクションの対象物をケースにしまったまま、ディスプレイパネル１２（１２Ａ、１２Ｂ、１２Ｃ、１２Ｄ、１２Ｅ）の画像により鑑賞できるので、コレクションの対象物に不用意に触られて壊されたり、埃が付着することを防止できる。
【０１１１】
さらに、ディスプレイパネル１２に、箱体表示装置本体１０の内部に置かれたコレクションの対象物以外の画像を表示した場合には、内部に貴重なコレクションの対象物を収納していることを隠せるので、防犯効果が期待できる。
【０１１２】
これと共に、内部に収納した貴重なコレクションの対象物に関連する画像や情報をディスプレイパネル１２に表示する場合には、内部に収納した貴重なコレクションの対象物の画像と、これに関連する画像や情報を、切り換えて表示し、鑑賞者にアピールする表示形態を実現可能とし、又はインテリアとしての新たな機能を発揮させることができる。
【０１１３】
また、箱体表示装置本体１０は、多面構造の箱体に形成したショーケースとして利用できる。この場合には、カメラ２３が撮影した箱体表示装置本体１０の内部に置かれた商品（製品）等の画像がディスプレイパネル１２（１２Ａ、１２Ｂ、１２Ｃ、１２Ｄ、１２Ｅ）に表示される状態となるようにセットし、かつ照明ランプ２４を点灯することにより、内部にしまった商品（製品）等をディスプレイパネル１２（１２Ａ、１２Ｂ、１２Ｃ、１２Ｄ、１２Ｅ）上に画像として展示できるので、高価な商品に不用意に触られて壊されたり、埃が付着することを防止できる。
【０１１４】
さらに、ディスプレイパネル１２に箱体表示装置本体１０の内部に置かれた商品（製品）等以外の画像を表示した場合には、内部に高価な商品（製品）等を収納していることをも隠せるので、防犯効果が期待できる。
【０１１５】
これと共に、内部に収納した商品（製品）等に関連するコマーシャル用の画像や情報をディスプレイパネル１２に表示する場合には、内部に収納した商品（製品）等の実際に撮影されている画像と、これに関連するコマーシャル用の画像や情報を、切り換えて表示し、消費者に商品（製品）等の機能、特性、有用性を強くアピールして購買意欲を掻き立てるような新たな表示形態を実現できる。
【０１１６】
加えて、このような箱体表示装置本体１０で構成したショーケースを待合室に設置した場合には、不特定多数の人に内部に収納した商品（製品）等に関連するコマーシャル用の画像や情報を表示して宣伝に利用できると共に、ディスプレイパネル１２に表示する画像を適宜ＴＶ画像等に切り換えることにより、待っている人を飽きさせないようにできる。
【０１１７】
また、このように箱体表示装置本体１０を待合室に設置して、不特定多数の人を相手に使用する場合には、箱体表示装置本体１０に予め与えられたディスプレイパネル用の表示プログラムに従って、内蔵する制御手段３４がディスプレイパネル１２（１２Ａ、１２Ｂ、１２Ｃ、１２Ｄ、１２Ｅ）に表示する画像を自動的に切り換える制御を行うように構成しても良い。
【０１１８】
これにより、箱体表示装置本体１０は、その内部に収納した商品（製品）等に関連するコマーシャル用の画像や情報を、内部に収納した商品（製品）等のカメラ２３で撮影している画像と、これに関連するコマーシャル用の画像や情報とを適宜切り換えて表示することにより、消費者に商品（製品）等の機能、特性、有用性を強くアピールできるような新たな表示形態を実現できる。
【０１１９】
さらに、箱体表示装置本体１０で構成したショーケースが、複数のディスプレイパネル１２（１２Ａ、１２Ｂ、１２Ｃ、１２Ｄ、１２Ｅ）を持ち、複数の異なるＴＶ等の画像を表示する場合には、不特定で複数の人が、各人の好みに応じて、自分の見たい画像を表示しているディスプレイパネル１２（１２Ａ、１２Ｂ、１２Ｃ、１２Ｄ、１２Ｅ）の前に移動することにより好みの画像を鑑賞できるから、一台の箱体表示装置本体１０で構成したショーケースが不特定で複数の人の多様な要求に同時に対応できるというメリットがある。
【０１３１】
なお、前述した本発明に係わる箱体表示装置は、デシケータ等の各種機器のハウジング又はショーケース若しくはコレクションケースに利用することに限られるものでは無く、例えば容易にドアが開けられない金庫に利用して、その内部の様子や内部にしまったものが盗まれていないか確認可能にしたもの、またドアが開けることによって生じる温度変化を嫌う恒温室に利用して、その内部の様子や内部に収めたものの状態を確認可能にしたもの、その他種々の用途に利用できることは、勿論である。
【０１３２】
【発明の効果】
本発明のコレクションケースによれば、複数のディスプレイパネルに、その内部に実際にある物の画像を表示する態様と、ディスプレイパネルに色彩を表示する態様、模様を表示する態様又は画像を表示する態様とに、切り換えて、種々の表現形態を作り出せるという効果がある。
【図面の簡単な説明】
【図１】  本発明の第１実施の形態に係る箱体表示装置で画像を表示している状態を示す斜視図である。
【図２】  本発明の第１実施の形態に係る箱体表示装置本体を示す縦断面図である。
【図３】  本発明の第１実施の形態に係る箱体表示装置に利用するリモートコントローラを示す正面図である。
【図４】  本発明の第１実施の形態に係る箱体表示装置の電気的構成を示すブロック図である。
【図５】  本発明の第１実施の形態に係る箱体表示装置における制御手段が、使用者の指定に基き信号切換手段に表示内容を指令するための制御を例示するフローチャートである。
【符号の説明】
１０ 箱体表示装置本体
１２ ディスプレイパネル
１４ 底面部
１６ 電気回路
１８ スロット部
２０ 接続端子部
２４ 照明ランプ
２６ 表示切換ボタン
２８ メモリ・カード
３０ パーソナル・コンピュータ
３２ リモートコントローラ
３４ 制御手段
３６ 操作手段
４４ 内部メモリ
４８ ＴＶチューナ
５０ 表示駆動手段
５２ 信号切換手段
５４ ライトコントロール手段
【図１】
0004450562.tif 000002
【図２】
0004450562.tif 000003
【図３】
0004450562.tif 000004
【図４】
0004450562.tif 000005
【図５】
0004450562.tif 000006